【手続補正書】
【提出日】平成25年2月13日(2013.2.13)
【手続補正１】
【補正対象書類名】特許請求の範囲
【補正対象項目名】全文
【補正方法】変更
【補正の内容】
【特許請求の範囲】
【請求項１】
患者における脂肪細胞の不均衡により特徴付けられる状態の進行、状態の発症、又は状態の処置の効力を決定するための方法であって、以下：
前記の患者から得られた生物学的液体サンプルにおいてペプチドのレベルを決定すること；
ここで、前記のペプチドは、以下：
第１のｍｅｒ単位及び第２のｍｅｒ単位を含む第１のヘテロ二量体であって、ここで、前記の第１のｍｅｒ単位が配列番号１と少なくとも約７５%の同一性を有し、及びここで、前記の第２のｍｅｒ単位が配列番号２と少なくとも約７５%の同一性を有し、及びここで、前記の第１のｍｅｒ単位と前記の第２のｍｅｒ単位が、ジスルフィド結合を介して連結されている；
第１のｍｅｒ単位及び第２のｍｅｒ単位を含む第１のホモ二量体であって、ここで、前記の第１のｍｅｒ単位が配列番号１と少なくとも約７５%の同一性を有し、及びここで、前記の第２のｍｅｒ単位が配列番号１と少なくとも約７５%の同一性を有し、及びここで、前記の第１のｍｅｒ単位と前記の第２のｍｅｒ単位が、ジスルフィド結合を介して連結されている；
第１のｍｅｒ単位及び第２のｍｅｒ単位を含む第２のホモ二量体であって、ここで、前記の第１のｍｅｒ単位が配列番号２と少なくとも約７５%の同一性を有し、及びここで、前記の第２のｍｅｒ単位が配列番号２と少なくとも約７５%の同一性を有し、及びここで、前記の第１のｍｅｒ単位と前記の第２のｍｅｒ単位が、ジスルフィド結合を介して連結されている；
第１のｍｅｒ単位及び第２のｍｅｒ単位を含む第２のヘテロ二量体であって、ここで、前記の第１のｍｅｒ単位が配列番号５と少なくとも約７５%の同一性を有し、及びここで、前記の第２のｍｅｒ単位が配列番号６と少なくとも約７５%の同一性を有し、及びここで、前記の第１のｍｅｒ単位と前記の第２のｍｅｒ単位が、ジスルフィド結合を介して連結されている；
第１のｍｅｒ単位及び第２のｍｅｒ単位を含む第３のホモ二量体であって、ここで、前記の第１のｍｅｒ単位が配列番号５と少なくとも約７５%の同一性を有し、及びここで、前記の第２のｍｅｒ単位が配列番号５と少なくとも約７５%の同一性を有し、及びここで、前記の第１のｍｅｒ単位と前記の第２のｍｅｒ単位が、ジスルフィド結合を介して連結されている；
第１のｍｅｒ単位及び第２のｍｅｒ単位を含む第４のホモ二量体であって、ここで、前記の第１のｍｅｒ単位が配列番号６と少なくとも約７５%の同一性を有し、及びここで、前記の第２のｍｅｒ単位が配列番号６と少なくとも約７５%の同一性を有し、及びここで、前記の第１のｍｅｒ単位と前記の第２のｍｅｒ単位が、ジスルフィド結合を介して連結されている；
第１のｍｅｒ単位及び第２のｍｅｒ単位を含む第３のヘテロ二量体であって、ここで、前記の第１のｍｅｒ単位が配列番号１と少なくとも約７５%の同一性を有し、及びここで、前記の第２のｍｅｒ単位が配列番号５と少なくとも約７５%の同一性を有し、及びここで、前記の第１のｍｅｒ単位と前記の第２のｍｅｒ単位が、ジスルフィド結合を介して連結されている；
第１のｍｅｒ単位及び第２のｍｅｒ単位を含む第４のヘテロ二量体であって、ここで、前記の第１のｍｅｒ単位が配列番号１と少なくとも約７５%の同一性を有し、及びここで、前記の第２のｍｅｒ単位が配列番号６と少なくとも約７５%の同一性を有し、及びここで、前記の第１のｍｅｒ単位と前記の第２のｍｅｒ単位が、ジスルフィド結合を介して連結されている；
第１のｍｅｒ単位及び第２のｍｅｒ単位を含む第５のヘテロ二量体であって、ここで、前記の第１のｍｅｒ単位が配列番号２と少なくとも約７５%の同一性を有し、及びここで、前記の第２のｍｅｒ単位が配列番号５と少なくとも約７５%の同一性を有し、及びここで、前記の第１のｍｅｒ単位と前記の第２のｍｅｒ単位が、ジスルフィド結合を介して連結されている；
第１のｍｅｒ単位及び第２のｍｅｒ単位を含む第６のヘテロ二量体であって、ここで、前記の第１のｍｅｒ単位が配列番号２と少なくとも約７５%の同一性を有し、及びここで、前記の第２のｍｅｒ単位が配列番号６と少なくとも約７５%の同一性を有し、及びここで、前記の第１のｍｅｒ単位と前記の第２のｍｅｒ単位が、ジスルフィド結合を介して連結されている；
前記の第１のヘテロ二量体の二量体；
前記の第１のホモ二量体の二量体；
前記の第２のホモ二量体の二量体；
前記の第２のヘテロ二量体の二量体；
前記の第３のホモ二量体の二量体；
前記の第４のホモ二量体の二量体；
前記の第３のヘテロ二量体の二量体；
前記の第４のヘテロ二量体の二量体；
前記の第５のヘテロ二量体の二量体；及び
前記の第６のヘテロ二量体の二量体からなる群より選択される；及び
レベルを、脂肪細胞の不均衡により特徴付けられる前記の状態の進行、状態の発症、又は状態の処置の効力と相関させること
を含む、方法。
【請求項２】
ペプチドのレベルがイムノアッセイを使用して決定される、請求項１記載の方法。
【請求項３】
状態がメタボリックシンドロームである、請求項１記載の方法。
【請求項４】
状態が糖尿病である、請求項１記載の方法。
【請求項５】
状態がＩ型糖尿病、ＩＩ型糖尿病、又は妊娠糖尿病である、請求項１記載の方法。
【請求項６】
状態が心臓血管疾患である、請求項１記載の方法。
【請求項７】
心臓血管疾患が鬱血性心不全、急性心筋梗塞、冠動脈疾患、血管閉塞、動脈硬化症、アテローム性動脈硬化症、虚血、又はその組み合わせである、請求項６記載の方法。
【請求項８】
状態がインスリン抵抗性である、請求項１記載の方法。
【請求項９】
状態がアルツハイマー病である、請求項１記載の方法。
【請求項１０】
必要とする患者において糖尿病を処置する方法であって、以下：
前記の患者に、有効量のペプチド又はその医薬的に許容可能な塩を投与すること
を含み；
ここで、前記のペプチドは、以下：
配列番号２と少なくとも約７５%の同一性を有する単量体ペプチド；
第１のｍｅｒ単位及び第２のｍｅｒ単位を含む第１のヘテロ二量体であって、ここで、前記の第１のｍｅｒ単位が配列番号１と少なくとも約７５%の同一性を有し、及びここで、前記の第２のｍｅｒ単位が配列番号２と少なくとも約７５%の同一性を有し、及びここで、前記の第１のｍｅｒ単位と前記の第２のｍｅｒ単位が、ジスルフィド結合を介して連結されている；
第１のｍｅｒ単位及び第２のｍｅｒ単位を含む第１のホモ二量体であって、ここで、前記の第１のｍｅｒ単位が配列番号１と少なくとも約７５%の同一性を有し、及びここで、前記の第２のｍｅｒ単位が配列番号１と少なくとも約７５%の同一性を有し、及びここで、前記の第１のｍｅｒ単位と前記の第２のｍｅｒ単位が、ジスルフィド結合を介して連結されている；
第１のｍｅｒ単位及び第２のｍｅｒ単位を含む第２のホモ二量体であって、ここで、前記の第１のｍｅｒ単位が配列番号２と少なくとも約７５%の同一性を有し、及びここで、前記の第２のｍｅｒ単位が配列番号２と少なくとも約７５%の同一性を有し、及びここで、前記の第１のｍｅｒ単位と前記の第２のｍｅｒ単位が、ジスルフィド結合を介して連結されている；
第１のｍｅｒ単位及び第２のｍｅｒ単位を含む第２のヘテロ二量体であって、ここで、前記の第１のｍｅｒ単位が配列番号５と少なくとも約７５%の同一性を有し、及びここで、前記の第２のｍｅｒ単位が配列番号６と少なくとも約７５%の同一性を有し、及びここで、前記の第１のｍｅｒ単位と前記の第２のｍｅｒ単位が、ジスルフィド結合を介して連結されている；
第１のｍｅｒ単位及び第２のｍｅｒ単位を含む第３のホモ二量体であって、ここで、前記の第１のｍｅｒ単位が配列番号５と少なくとも約７５%の同一性を有し、及びここで、前記の第２のｍｅｒ単位が配列番号５と少なくとも約７５%の同一性を有し、及びここで、前記の第１のｍｅｒ単位と前記の第２のｍｅｒ単位が、ジスルフィド結合を介して連結されている；
第１のｍｅｒ単位及び第２のｍｅｒ単位を含む第４のホモ二量体であって、ここで、前記の第１のｍｅｒ単位が配列番号６と少なくとも約７５%の同一性を有し、及びここで、前記の第２のｍｅｒ単位が配列番号６と少なくとも約７５%の同一性を有し、及びここで、前記の第１のｍｅｒ単位と前記の第２のｍｅｒ単位が、ジスルフィド結合を介して連結されている；
第１のｍｅｒ単位及び第２のｍｅｒ単位を含む第３のヘテロ二量体であって、ここで、前記の第１のｍｅｒ単位が配列番号１と少なくとも約７５%の同一性を有し、及びここで、前記の第２のｍｅｒ単位が配列番号５と少なくとも約７５%の同一性を有し、及びここで、前記の第１のｍｅｒ単位と前記の第２のｍｅｒ単位が、ジスルフィド結合を介して連結されている；
第１のｍｅｒ単位及び第２のｍｅｒ単位を含む第４のヘテロ二量体であって、ここで、前記の第１のｍｅｒ単位が配列番号１と少なくとも約７５%の同一性を有し、及びここで、前記の第２のｍｅｒ単位が配列番号６と少なくとも約７５%の同一性を有し、及びここで、前記の第１のｍｅｒ単位と前記の第２のｍｅｒ単位が、ジスルフィド結合を介して連結されている；
第１のｍｅｒ単位及び第２のｍｅｒ単位を含む第５のヘテロ二量体であって、ここで、前記の第１のｍｅｒ単位が配列番号２と少なくとも約７５%の同一性を有し、及びここで、前記の第２のｍｅｒ単位が配列番号５と少なくとも約７５%の同一性を有し、及びここで、前記の第１のｍｅｒ単位と前記の第２のｍｅｒ単位が、ジスルフィド結合を介して連結されている；
第１のｍｅｒ単位及び第２のｍｅｒ単位を含む第６のヘテロ二量体であって、ここで、前記の第１のｍｅｒ単位が配列番号２と少なくとも約７５%の同一性を有し、及びここで、前記の第２のｍｅｒ単位が配列番号６と少なくとも約７５%の同一性を有し、及びここで、前記の第１のｍｅｒ単位と前記の第２のｍｅｒ単位が、ジスルフィド結合を介して連結されている；
前記の第１のヘテロ二量体の二量体；
前記の第１のホモ二量体の二量体；
前記の第２のホモ二量体の二量体；
前記の第２のヘテロ二量体の二量体；
前記の第３のホモ二量体の二量体；
前記の第４のホモ二量体の二量体；
前記の第３のヘテロ二量体の二量体；
前記の第４のヘテロ二量体の二量体；
前記の第５のヘテロ二量体の二量体；及び
前記の第６のヘテロ二量体の二量体からなる群より選択される、方法。
【請求項１１】
患者がＩ型又はＩＩ型糖尿病に苦しむ、請求項１０記載の方法。
【請求項１２】
患者が妊娠糖尿病に苦しむ、請求項１０記載の方法。
【請求項１３】
必要とする患者において異常な脂肪細胞活性を処置する方法であって、以下：
前記の患者に、有効量のペプチド又はその医薬的に許容可能な塩を投与すること
を含み；
ここで、前記のペプチドは、以下：
配列番号２と少なくとも約７５%の同一性を有する単量体ペプチド；
第１のｍｅｒ単位及び第２のｍｅｒ単位を含む第１のヘテロ二量体であって、ここで、前記の第１のｍｅｒ単位が配列番号１と少なくとも約７５%の同一性を有し、及びここで、前記の第２のｍｅｒ単位が配列番号２と少なくとも約７５%の同一性を有し、及びここで、前記の第１のｍｅｒ単位と前記の第２のｍｅｒ単位が、ジスルフィド結合を介して連結されている；
第１のｍｅｒ単位及び第２のｍｅｒ単位を含む第１のホモ二量体であって、ここで、前記の第１のｍｅｒ単位が配列番号１と少なくとも約７５%の同一性を有し、及びここで、前記の第２のｍｅｒ単位が配列番号１と少なくとも約７５%の同一性を有し、及びここで、前記の第１のｍｅｒ単位と前記の第２のｍｅｒ単位が、ジスルフィド結合を介して連結されている；
第１のｍｅｒ単位及び第２のｍｅｒ単位を含む第２のホモ二量体であって、ここで、前記の第１のｍｅｒ単位が配列番号２と少なくとも約７５%の同一性を有し、及びここで、前記の第２のｍｅｒ単位が配列番号２と少なくとも約７５%の同一性を有し、及びここで、前記の第１のｍｅｒ単位と前記の第２のｍｅｒ単位が、ジスルフィド結合を介して連結されている；
第１のｍｅｒ単位及び第２のｍｅｒ単位を含む第２のヘテロ二量体であって、ここで、前記の第１のｍｅｒ単位が配列番号５と少なくとも約７５%の同一性を有し、及びここで、前記の第２のｍｅｒ単位が配列番号６と少なくとも約７５%の同一性を有し、及びここで、前記の第１のｍｅｒ単位と前記の第２のｍｅｒ単位が、ジスルフィド結合を介して連結されている；
第１のｍｅｒ単位及び第２のｍｅｒ単位を含む第３のホモ二量体であって、ここで、前記の第１のｍｅｒ単位が配列番号５と少なくとも約７５%の同一性を有し、及びここで、前記の第２のｍｅｒ単位が配列番号５と少なくとも約７５%の同一性を有し、及びここで、前記の第１のｍｅｒ単位と前記の第２のｍｅｒ単位が、ジスルフィド結合を介して連結されている；
第１のｍｅｒ単位及び第２のｍｅｒ単位を含む第４のホモ二量体であって、ここで、前記の第１のｍｅｒ単位が配列番号６と少なくとも約７５%の同一性を有し、及びここで、前記の第２のｍｅｒ単位が配列番号６と少なくとも約７５%の同一性を有し、及びここで、前記の第１のｍｅｒ単位と前記の第２のｍｅｒ単位が、ジスルフィド結合を介して連結されている；
第１のｍｅｒ単位及び第２のｍｅｒ単位を含む第３のヘテロ二量体であって、ここで、前記の第１のｍｅｒ単位が配列番号１と少なくとも約７５%の同一性を有し、及びここで、前記の第２のｍｅｒ単位が配列番号５と少なくとも約７５%の同一性を有し、及びここで、前記の第１のｍｅｒ単位と前記の第２のｍｅｒ単位が、ジスルフィド結合を介して連結されている；
第１のｍｅｒ単位及び第２のｍｅｒ単位を含む第４のヘテロ二量体であって、ここで、前記の第１のｍｅｒ単位が配列番号１と少なくとも約７５%の同一性を有し、及びここで、前記の第２のｍｅｒ単位が配列番号６と少なくとも約７５%の同一性を有し、及びここで、前記の第１のｍｅｒ単位と前記の第２のｍｅｒ単位が、ジスルフィド結合を介して連結されている；
第１のｍｅｒ単位及び第２のｍｅｒ単位を含む第５のヘテロ二量体であって、ここで、前記の第１のｍｅｒ単位が配列番号２と少なくとも約７５%の同一性を有し、及びここで、前記の第２のｍｅｒ単位が配列番号５と少なくとも約７５%の同一性を有し、及びここで、前記の第１のｍｅｒ単位と前記の第２のｍｅｒ単位が、ジスルフィド結合を介して連結されている；
第１のｍｅｒ単位及び第２のｍｅｒ単位を含む第６のヘテロ二量体であって、ここで、前記の第１のｍｅｒ単位が配列番号２と少なくとも約７５%の同一性を有し、及びここで、前記の第２のｍｅｒ単位が配列番号６と少なくとも約７５%の同一性を有し、及びここで、前記の第１のｍｅｒ単位と前記の第２のｍｅｒ単位が、ジスルフィド結合を介して連結されている；
前記の第１のヘテロ二量体の二量体；
前記の第１のホモ二量体の二量体；
前記の第２のホモ二量体の二量体；
前記の第２のヘテロ二量体の二量体；
前記の第３のホモ二量体の二量体；
前記の第４のホモ二量体の二量体；
前記の第３のヘテロ二量体の二量体；
前記の第４のヘテロ二量体の二量体；
前記の第５のヘテロ二量体の二量体；及び
前記の第６のヘテロ二量体の二量体からなる群より選択される、方法。
【請求項１４】
必要とする患者においてインスリン抵抗性を処置する方法であって、以下：
前記の患者に、有効量のペプチド又はその医薬的に許容可能な塩を投与すること
を含み；
ここで、前記のペプチドは、以下：
配列番号２と少なくとも約７５%の同一性を有する単量体ペプチド；
第１のｍｅｒ単位及び第２のｍｅｒ単位を含む第１のヘテロ二量体であって、ここで、前記の第１のｍｅｒ単位が配列番号１と少なくとも約７５%の同一性を有し、及びここで、前記の第２のｍｅｒ単位が配列番号２と少なくとも約７５%の同一性を有し、及びここで、前記の第１のｍｅｒ単位と前記の第２のｍｅｒ単位が、ジスルフィド結合を介して連結されている；
第１のｍｅｒ単位及び第２のｍｅｒ単位を含む第１のホモ二量体であって、ここで、前記の第１のｍｅｒ単位が配列番号１と少なくとも約７５%の同一性を有し、及びここで、前記の第２のｍｅｒ単位が配列番号１と少なくとも約７５%の同一性を有し、及びここで、前記の第１のｍｅｒ単位と前記の第２のｍｅｒ単位が、ジスルフィド結合を介して連結されている；
第１のｍｅｒ単位及び第２のｍｅｒ単位を含む第２のホモ二量体であって、ここで、前記の第１のｍｅｒ単位が配列番号２と少なくとも約７５%の同一性を有し、及びここで、前記の第２のｍｅｒ単位が配列番号２と少なくとも約７５%の同一性を有し、及びここで、前記の第１のｍｅｒ単位と前記の第２のｍｅｒ単位が、ジスルフィド結合を介して連結されている；
第１のｍｅｒ単位及び第２のｍｅｒ単位を含む第２のヘテロ二量体であって、ここで、前記の第１のｍｅｒ単位が配列番号５と少なくとも約７５%の同一性を有し、及びここで、前記の第２のｍｅｒ単位が配列番号６と少なくとも約７５%の同一性を有し、及びここで、前記の第１のｍｅｒ単位と前記の第２のｍｅｒ単位が、ジスルフィド結合を介して連結されている；
第１のｍｅｒ単位及び第２のｍｅｒ単位を含む第３のホモ二量体であって、ここで、前記の第１のｍｅｒ単位が配列番号５と少なくとも約７５%の同一性を有し、及びここで、前記の第２のｍｅｒ単位が配列番号５と少なくとも約７５%の同一性を有し、及びここで、前記の第１のｍｅｒ単位と前記の第２のｍｅｒ単位が、ジスルフィド結合を介して連結されている；
第１のｍｅｒ単位及び第２のｍｅｒ単位を含む第４のホモ二量体であって、ここで、前記の第１のｍｅｒ単位が配列番号６と少なくとも約７５%の同一性を有し、及びここで、前記の第２のｍｅｒ単位が配列番号６と少なくとも約７５%の同一性を有し、及びここで、前記の第１のｍｅｒ単位と前記の第２のｍｅｒ単位が、ジスルフィド結合を介して連結されている；
第１のｍｅｒ単位及び第２のｍｅｒ単位を含む第３のヘテロ二量体であって、ここで、前記の第１のｍｅｒ単位が配列番号１と少なくとも約７５%の同一性を有し、及びここで、前記の第２のｍｅｒ単位が配列番号５と少なくとも約７５%の同一性を有し、及びここで、前記の第１のｍｅｒ単位と前記の第２のｍｅｒ単位が、ジスルフィド結合を介して連結されている；
第１のｍｅｒ単位及び第２のｍｅｒ単位を含む第４のヘテロ二量体であって、ここで、前記の第１のｍｅｒ単位が配列番号１と少なくとも約７５%の同一性を有し、及びここで、前記の第２のｍｅｒ単位が配列番号６と少なくとも約７５%の同一性を有し、及びここで、前記の第１のｍｅｒ単位と前記の第２のｍｅｒ単位が、ジスルフィド結合を介して連結されている；
第１のｍｅｒ単位及び第２のｍｅｒ単位を含む第５のヘテロ二量体であって、ここで、前記の第１のｍｅｒ単位が配列番号２と少なくとも約７５%の同一性を有し、及びここで、前記の第２のｍｅｒ単位が配列番号５と少なくとも約７５%の同一性を有し、及びここで、前記の第１のｍｅｒ単位と前記の第２のｍｅｒ単位が、ジスルフィド結合を介して連結されている；
第１のｍｅｒ単位及び第２のｍｅｒ単位を含む第６のヘテロ二量体であって、ここで、前記の第１のｍｅｒ単位が配列番号２と少なくとも約７５%の同一性を有し、及びここで、前記の第２のｍｅｒ単位が配列番号６と少なくとも約７５%の同一性を有し、及びここで、前記の第１のｍｅｒ単位と前記の第２のｍｅｒ単位が、ジスルフィド結合を介して連結されている；
前記の第１のヘテロ二量体の二量体；
前記の第１のホモ二量体の二量体；
前記の第２のホモ二量体の二量体；
前記の第２のヘテロ二量体の二量体；
前記の第３のホモ二量体の二量体；
前記の第４のホモ二量体の二量体；
前記の第３のヘテロ二量体の二量体；
前記の第４のヘテロ二量体の二量体；
前記の第５のヘテロ二量体の二量体；及び
前記の第６のヘテロ二量体の二量体からなる群より選択される、方法。
【請求項１５】
必要とする患者においてメタボリックシンドロームを処置する方法であって、以下：
前記の患者に、有効量のペプチド又はその医薬的に許容可能な塩を投与すること
を含み；
ここで、前記のペプチドは、以下：
配列番号２と少なくとも約７５%の同一性を有する単量体ペプチド；
第１のｍｅｒ単位及び第２のｍｅｒ単位を含む第１のヘテロ二量体であって、ここで、前記の第１のｍｅｒ単位が配列番号１と少なくとも約７５%の同一性を有し、及びここで、前記の第２のｍｅｒ単位が配列番号２と少なくとも約７５%の同一性を有し、及びここで、前記の第１のｍｅｒ単位と前記の第２のｍｅｒ単位が、ジスルフィド結合を介して連結されている；
第１のｍｅｒ単位及び第２のｍｅｒ単位を含む第１のホモ二量体であって、ここで、前記の第１のｍｅｒ単位が配列番号１と少なくとも約７５%の同一性を有し、及びここで、前記の第２のｍｅｒ単位が配列番号１と少なくとも約７５%の同一性を有し、及びここで、前記の第１のｍｅｒ単位と前記の第２のｍｅｒ単位が、ジスルフィド結合を介して連結されている；
第１のｍｅｒ単位及び第２のｍｅｒ単位を含む第２のホモ二量体であって、ここで、前記の第１のｍｅｒ単位が配列番号２と少なくとも約７５%の同一性を有し、及びここで、前記の第２のｍｅｒ単位が配列番号２と少なくとも約７５%の同一性を有し、及びここで、前記の第１のｍｅｒ単位と前記の第２のｍｅｒ単位が、ジスルフィド結合を介して連結されている；
第１のｍｅｒ単位及び第２のｍｅｒ単位を含む第２のヘテロ二量体であって、ここで、前記の第１のｍｅｒ単位が配列番号５と少なくとも約７５%の同一性を有し、及びここで、前記の第２のｍｅｒ単位が配列番号６と少なくとも約７５%の同一性を有し、及びここで、前記の第１のｍｅｒ単位と前記の第２のｍｅｒ単位が、ジスルフィド結合を介して連結されている；
第１のｍｅｒ単位及び第２のｍｅｒ単位を含む第３のホモ二量体であって、ここで、前記の第１のｍｅｒ単位が配列番号５と少なくとも約７５%の同一性を有し、及びここで、前記の第２のｍｅｒ単位が配列番号５と少なくとも約７５%の同一性を有し、及びここで、前記の第１のｍｅｒ単位と前記の第２のｍｅｒ単位が、ジスルフィド結合を介して連結されている；
第１のｍｅｒ単位及び第２のｍｅｒ単位を含む第４のホモ二量体であって、ここで、前記の第１のｍｅｒ単位が配列番号６と少なくとも約７５%の同一性を有し、及びここで、前記の第２のｍｅｒ単位が配列番号６と少なくとも約７５%の同一性を有し、及びここで、前記の第１のｍｅｒ単位と前記の第２のｍｅｒ単位が、ジスルフィド結合を介して連結されている；
第１のｍｅｒ単位及び第２のｍｅｒ単位を含む第３のヘテロ二量体であって、ここで、前記の第１のｍｅｒ単位が配列番号１と少なくとも約７５%の同一性を有し、及びここで、前記の第２のｍｅｒ単位が配列番号５と少なくとも約７５%の同一性を有し、及びここで、前記の第１のｍｅｒ単位と前記の第２のｍｅｒ単位が、ジスルフィド結合を介して連結されている；
第１のｍｅｒ単位及び第２のｍｅｒ単位を含む第４のヘテロ二量体であって、ここで、前記の第１のｍｅｒ単位が配列番号１と少なくとも約７５%の同一性を有し、及びここで、前記の第２のｍｅｒ単位が配列番号６と少なくとも約７５%の同一性を有し、及びここで、前記の第１のｍｅｒ単位と前記の第２のｍｅｒ単位が、ジスルフィド結合を介して連結されている；
第１のｍｅｒ単位及び第２のｍｅｒ単位を含む第５のヘテロ二量体であって、ここで、前記の第１のｍｅｒ単位が配列番号２と少なくとも約７５%の同一性を有し、及びここで、前記の第２のｍｅｒ単位が配列番号５と少なくとも約７５%の同一性を有し、及びここで、前記の第１のｍｅｒ単位と前記の第２のｍｅｒ単位が、ジスルフィド結合を介して連結されている；
第１のｍｅｒ単位及び第２のｍｅｒ単位を含む第６のヘテロ二量体であって、ここで、前記の第１のｍｅｒ単位が配列番号２と少なくとも約７５%の同一性を有し、及びここで、前記の第２のｍｅｒ単位が配列番号６と少なくとも約７５%の同一性を有し、及びここで、前記の第１のｍｅｒ単位と前記の第２のｍｅｒ単位が、ジスルフィド結合を介して連結されている；
前記の第１のヘテロ二量体の二量体；
前記の第１のホモ二量体の二量体；
前記の第２のホモ二量体の二量体；
前記の第２のヘテロ二量体の二量体；
前記の第３のホモ二量体の二量体；
前記の第４のホモ二量体の二量体；
前記の第３のヘテロ二量体の二量体；
前記の第４のヘテロ二量体の二量体；
前記の第５のヘテロ二量体の二量体；及び
前記の第６のヘテロ二量体の二量体からなる群より選択される、方法。
【請求項１６】
患者においてインスリン分解酵素（ＩＤＥ）を阻害する方法であって、以下：
前記の患者に、有効量のペプチド又はその医薬的に許容可能な塩を投与すること
を含み；
ここで、前記のペプチドは、以下：
配列番号２と少なくとも約７５%の同一性を有する単量体ペプチド；
第１のｍｅｒ単位及び第２のｍｅｒ単位を含む第１のヘテロ二量体であって、ここで、前記の第１のｍｅｒ単位が配列番号１と少なくとも約７５%の同一性を有し、及びここで、前記の第２のｍｅｒ単位が配列番号２と少なくとも約７５%の同一性を有し、及びここで、前記の第１のｍｅｒ単位と前記の第２のｍｅｒ単位が、ジスルフィド結合を介して連結されている；
第１のｍｅｒ単位及び第２のｍｅｒ単位を含む第１のホモ二量体であって、ここで、前記の第１のｍｅｒ単位が配列番号１と少なくとも約７５%の同一性を有し、及びここで、前記の第２のｍｅｒ単位が配列番号１と少なくとも約７５%の同一性を有し、及びここで、前記の第１のｍｅｒ単位と前記の第２のｍｅｒ単位が、ジスルフィド結合を介して連結されている；
第１のｍｅｒ単位及び第２のｍｅｒ単位を含む第２のホモ二量体であって、ここで、前記の第１のｍｅｒ単位が配列番号２と少なくとも約７５%の同一性を有し、及びここで、前記の第２のｍｅｒ単位が配列番号２と少なくとも約７５%の同一性を有し、及びここで、前記の第１のｍｅｒ単位と前記の第２のｍｅｒ単位が、ジスルフィド結合を介して連結されている；
第１のｍｅｒ単位及び第２のｍｅｒ単位を含む第２のヘテロ二量体であって、ここで、前記の第１のｍｅｒ単位が配列番号５と少なくとも約７５%の同一性を有し、及びここで、前記の第２のｍｅｒ単位が配列番号６と少なくとも約７５%の同一性を有し、及びここで、前記の第１のｍｅｒ単位と前記の第２のｍｅｒ単位が、ジスルフィド結合を介して連結されている；
第１のｍｅｒ単位及び第２のｍｅｒ単位を含む第３のホモ二量体であって、ここで、前記の第１のｍｅｒ単位が配列番号５と少なくとも約７５%の同一性を有し、及びここで、前記の第２のｍｅｒ単位が配列番号５と少なくとも約７５%の同一性を有し、及びここで、前記の第１のｍｅｒ単位と前記の第２のｍｅｒ単位が、ジスルフィド結合を介して連結されている；
第１のｍｅｒ単位及び第２のｍｅｒ単位を含む第４のホモ二量体であって、ここで、前記の第１のｍｅｒ単位が配列番号６と少なくとも約７５%の同一性を有し、及びここで、前記の第２のｍｅｒ単位が配列番号６と少なくとも約７５%の同一性を有し、及びここで、前記の第１のｍｅｒ単位と前記の第２のｍｅｒ単位が、ジスルフィド結合を介して連結されている；
第１のｍｅｒ単位及び第２のｍｅｒ単位を含む第３のヘテロ二量体であって、ここで、前記の第１のｍｅｒ単位が配列番号１と少なくとも約７５%の同一性を有し、及びここで、前記の第２のｍｅｒ単位が配列番号５と少なくとも約７５%の同一性を有し、及びここで、前記の第１のｍｅｒ単位と前記の第２のｍｅｒ単位が、ジスルフィド結合を介して連結されている；
第１のｍｅｒ単位及び第２のｍｅｒ単位を含む第４のヘテロ二量体であって、ここで、前記の第１のｍｅｒ単位が配列番号１と少なくとも約７５%の同一性を有し、及びここで、前記の第２のｍｅｒ単位が配列番号６と少なくとも約７５%の同一性を有し、及びここで、前記の第１のｍｅｒ単位と前記の第２のｍｅｒ単位が、ジスルフィド結合を介して連結されている；
第１のｍｅｒ単位及び第２のｍｅｒ単位を含む第５のヘテロ二量体であって、ここで、前記の第１のｍｅｒ単位が配列番号２と少なくとも約７５%の同一性を有し、及びここで、前記の第２のｍｅｒ単位が配列番号５と少なくとも約７５%の同一性を有し、及びここで、前記の第１のｍｅｒ単位と前記の第２のｍｅｒ単位が、ジスルフィド結合を介して連結されている；
第１のｍｅｒ単位及び第２のｍｅｒ単位を含む第６のヘテロ二量体であって、ここで、前記の第１のｍｅｒ単位が配列番号２と少なくとも約７５%の同一性を有し、及びここで、前記の第２のｍｅｒ単位が配列番号６と少なくとも約７５%の同一性を有し、及びここで、前記の第１のｍｅｒ単位と前記の第２のｍｅｒ単位が、ジスルフィド結合を介して連結されている；
前記の第１のヘテロ二量体の二量体；
前記の第１のホモ二量体の二量体；
前記の第２のホモ二量体の二量体；
前記の第２のヘテロ二量体の二量体；
前記の第３のホモ二量体の二量体；
前記の第４のホモ二量体の二量体；
前記の第３のヘテロ二量体の二量体；
前記の第４のヘテロ二量体の二量体；
前記の第５のヘテロ二量体の二量体；及び
前記の第６のヘテロ二量体の二量体からなる群より選択される、方法。
【請求項１７】
患者がアルツハイマー病に苦しむ、請求項１６記載の方法。
【請求項１８】
患者が心臓血管疾患に苦しむ、請求項１６記載の方法。
【請求項１９】
患者においてアルツハイマー病を処置する方法であって、以下：
前記の患者に、有効量のペプチド又はその医薬的に許容可能な塩を投与すること
を含み；
ここで、前記のペプチドは、以下：
配列番号２と少なくとも約７５%の同一性を有する単量体ペプチド；
第１のｍｅｒ単位及び第２のｍｅｒ単位を含む第１のヘテロ二量体であって、ここで、前記の第１のｍｅｒ単位が配列番号１と少なくとも約７５%の同一性を有し、及びここで、前記の第２のｍｅｒ単位が配列番号２と少なくとも約７５%の同一性を有し、及びここで、前記の第１のｍｅｒ単位と前記の第２のｍｅｒ単位が、ジスルフィド結合を介して連結されている；
第１のｍｅｒ単位及び第２のｍｅｒ単位を含む第１のホモ二量体であって、ここで、前記の第１のｍｅｒ単位が配列番号１と少なくとも約７５%の同一性を有し、及びここで、前記の第２のｍｅｒ単位が配列番号１と少なくとも約７５%の同一性を有し、及びここで、前記の第１のｍｅｒ単位と前記の第２のｍｅｒ単位が、ジスルフィド結合を介して連結されている；
第１のｍｅｒ単位及び第２のｍｅｒ単位を含む第２のホモ二量体であって、ここで、前記の第１のｍｅｒ単位が配列番号２と少なくとも約７５%の同一性を有し、及びここで、前記の第２のｍｅｒ単位が配列番号２と少なくとも約７５%の同一性を有し、及びここで、前記の第１のｍｅｒ単位と前記の第２のｍｅｒ単位が、ジスルフィド結合を介して連結されている；
第１のｍｅｒ単位及び第２のｍｅｒ単位を含む第２のヘテロ二量体であって、ここで、前記の第１のｍｅｒ単位が配列番号５と少なくとも約７５%の同一性を有し、及びここで、前記の第２のｍｅｒ単位が配列番号６と少なくとも約７５%の同一性を有し、及びここで、前記の第１のｍｅｒ単位と前記の第２のｍｅｒ単位が、ジスルフィド結合を介して連結されている；
第１のｍｅｒ単位及び第２のｍｅｒ単位を含む第３のホモ二量体であって、ここで、前記の第１のｍｅｒ単位が配列番号５と少なくとも約７５%の同一性を有し、及びここで、前記の第２のｍｅｒ単位が配列番号５と少なくとも約７５%の同一性を有し、及びここで、前記の第１のｍｅｒ単位と前記の第２のｍｅｒ単位が、ジスルフィド結合を介して連結されている；
第１のｍｅｒ単位及び第２のｍｅｒ単位を含む第４のホモ二量体であって、ここで、前記の第１のｍｅｒ単位が配列番号６と少なくとも約７５%の同一性を有し、及びここで、前記の第２のｍｅｒ単位が配列番号６と少なくとも約７５%の同一性を有し、及びここで、前記の第１のｍｅｒ単位と前記の第２のｍｅｒ単位が、ジスルフィド結合を介して連結されている；
第１のｍｅｒ単位及び第２のｍｅｒ単位を含む第３のヘテロ二量体であって、ここで、前記の第１のｍｅｒ単位が配列番号１と少なくとも約７５%の同一性を有し、及びここで、前記の第２のｍｅｒ単位が配列番号５と少なくとも約７５%の同一性を有し、及びここで、前記の第１のｍｅｒ単位と前記の第２のｍｅｒ単位が、ジスルフィド結合を介して連結されている；
第１のｍｅｒ単位及び第２のｍｅｒ単位を含む第４のヘテロ二量体であって、ここで、前記の第１のｍｅｒ単位が配列番号１と少なくとも約７５%の同一性を有し、及びここで、前記の第２のｍｅｒ単位が配列番号６と少なくとも約７５%の同一性を有し、及びここで、前記の第１のｍｅｒ単位と前記の第２のｍｅｒ単位が、ジスルフィド結合を介して連結されている；
第１のｍｅｒ単位及び第２のｍｅｒ単位を含む第５のヘテロ二量体であって、ここで、前記の第１のｍｅｒ単位が配列番号２と少なくとも約７５%の同一性を有し、及びここで、前記の第２のｍｅｒ単位が配列番号５と少なくとも約７５%の同一性を有し、及びここで、前記の第１のｍｅｒ単位と前記の第２のｍｅｒ単位が、ジスルフィド結合を介して連結されている；
第１のｍｅｒ単位及び第２のｍｅｒ単位を含む第６のヘテロ二量体であって、ここで、前記の第１のｍｅｒ単位が配列番号２と少なくとも約７５%の同一性を有し、及びここで、前記の第２のｍｅｒ単位が配列番号６と少なくとも約７５%の同一性を有し、及びここで、前記の第１のｍｅｒ単位と前記の第２のｍｅｒ単位が、ジスルフィド結合を介して連結されている；
前記の第１のヘテロ二量体の二量体；
前記の第１のホモ二量体の二量体；
前記の第２のホモ二量体の二量体；
前記の第２のヘテロ二量体の二量体；
前記の第３のホモ二量体の二量体；
前記の第４のホモ二量体の二量体；
前記の第３のヘテロ二量体の二量体；
前記の第４のヘテロ二量体の二量体；
前記の第５のヘテロ二量体の二量体；及び
前記の第６のヘテロ二量体の二量体からなる群より選択される、方法。
【請求項２０】
患者においてアディポネクチンレベルに関連する心臓血管疾患を処置する方法であって、以下：
前記の患者に、有効量のペプチド又はその医薬的に許容可能な塩を投与すること
を含み；
ここで、前記のペプチドは、以下：
配列番号２と少なくとも約７５%の同一性を有する単量体ペプチド；
第１のｍｅｒ単位及び第２のｍｅｒ単位を含む第１のヘテロ二量体であって、ここで、前記の第１のｍｅｒ単位が配列番号１と少なくとも約７５%の同一性を有し、及びここで、前記の第２のｍｅｒ単位が配列番号２と少なくとも約７５%の同一性を有し、及びここで、前記の第１のｍｅｒ単位と前記の第２のｍｅｒ単位が、ジスルフィド結合を介して連結されている；
第１のｍｅｒ単位及び第２のｍｅｒ単位を含む第１のホモ二量体であって、ここで、前記の第１のｍｅｒ単位が配列番号１と少なくとも約７５%の同一性を有し、及びここで、前記の第２のｍｅｒ単位が配列番号１と少なくとも約７５%の同一性を有し、及びここで、前記の第１のｍｅｒ単位と前記の第２のｍｅｒ単位が、ジスルフィド結合を介して連結されている；
第１のｍｅｒ単位及び第２のｍｅｒ単位を含む第２のホモ二量体であって、ここで、前記の第１のｍｅｒ単位が配列番号２と少なくとも約７５%の同一性を有し、及びここで、前記の第２のｍｅｒ単位が配列番号２と少なくとも約７５%の同一性を有し、及びここで、前記の第１のｍｅｒ単位と前記の第２のｍｅｒ単位が、ジスルフィド結合を介して連結されている；
第１のｍｅｒ単位及び第２のｍｅｒ単位を含む第２のヘテロ二量体であって、ここで、前記の第１のｍｅｒ単位が配列番号５と少なくとも約７５%の同一性を有し、及びここで、前記の第２のｍｅｒ単位が配列番号６と少なくとも約７５%の同一性を有し、及びここで、前記の第１のｍｅｒ単位と前記の第２のｍｅｒ単位が、ジスルフィド結合を介して連結されている；
第１のｍｅｒ単位及び第２のｍｅｒ単位を含む第３のホモ二量体であって、ここで、前記の第１のｍｅｒ単位が配列番号５と少なくとも約７５%の同一性を有し、及びここで、前記の第２のｍｅｒ単位が配列番号５と少なくとも約７５%の同一性を有し、及びここで、前記の第１のｍｅｒ単位と前記の第２のｍｅｒ単位が、ジスルフィド結合を介して連結されている；
第１のｍｅｒ単位及び第２のｍｅｒ単位を含む第４のホモ二量体であって、ここで、前記の第１のｍｅｒ単位が配列番号６と少なくとも約７５%の同一性を有し、及びここで、前記の第２のｍｅｒ単位が配列番号６と少なくとも約７５%の同一性を有し、及びここで、前記の第１のｍｅｒ単位と前記の第２のｍｅｒ単位が、ジスルフィド結合を介して連結されている；
第１のｍｅｒ単位及び第２のｍｅｒ単位を含む第３のヘテロ二量体であって、ここで、前記の第１のｍｅｒ単位が配列番号１と少なくとも約７５%の同一性を有し、及びここで、前記の第２のｍｅｒ単位が配列番号５と少なくとも約７５%の同一性を有し、及びここで、前記の第１のｍｅｒ単位と前記の第２のｍｅｒ単位が、ジスルフィド結合を介して連結されている；
第１のｍｅｒ単位及び第２のｍｅｒ単位を含む第４のヘテロ二量体であって、ここで、前記の第１のｍｅｒ単位が配列番号１と少なくとも約７５%の同一性を有し、及びここで、前記の第２のｍｅｒ単位が配列番号６と少なくとも約７５%の同一性を有し、及びここで、前記の第１のｍｅｒ単位と前記の第２のｍｅｒ単位が、ジスルフィド結合を介して連結されている；
第１のｍｅｒ単位及び第２のｍｅｒ単位を含む第５のヘテロ二量体であって、ここで、前記の第１のｍｅｒ単位が配列番号２と少なくとも約７５%の同一性を有し、及びここで、前記の第２のｍｅｒ単位が配列番号５と少なくとも約７５%の同一性を有し、及びここで、前記の第１のｍｅｒ単位と前記の第２のｍｅｒ単位が、ジスルフィド結合を介して連結されている；
第１のｍｅｒ単位及び第２のｍｅｒ単位を含む第６のヘテロ二量体であって、ここで、前記の第１のｍｅｒ単位が配列番号２と少なくとも約７５%の同一性を有し、及びここで、前記の第２のｍｅｒ単位が配列番号６と少なくとも約７５%の同一性を有し、及びここで、前記の第１のｍｅｒ単位と前記の第２のｍｅｒ単位が、ジスルフィド結合を介して連結されている；
前記の第１のヘテロ二量体の二量体；
前記の第１のホモ二量体の二量体；
前記の第２のホモ二量体の二量体；
前記の第２のヘテロ二量体の二量体；
前記の第３のホモ二量体の二量体；
前記の第４のホモ二量体の二量体；
前記の第３のヘテロ二量体の二量体；
前記の第４のヘテロ二量体の二量体；
前記の第５のヘテロ二量体の二量体；及び
前記の第６のヘテロ二量体の二量体からなる群より選択される、方法。
【請求項２１】
患者においてＡＤＡＭ−１７酵素を阻害する方法であって、以下：
前記の患者に、有効量のペプチド又はその医薬的に許容可能な塩を投与すること
を含み；
ここで、前記のペプチドは、以下：
配列番号２と少なくとも約７５%の同一性を有する単量体ペプチド；
第１のｍｅｒ単位及び第２のｍｅｒ単位を含む第１のヘテロ二量体であって、ここで、前記の第１のｍｅｒ単位が配列番号１と少なくとも約７５%の同一性を有し、及びここで、前記の第２のｍｅｒ単位が配列番号２と少なくとも約７５%の同一性を有し、及びここで、前記の第１のｍｅｒ単位と前記の第２のｍｅｒ単位が、ジスルフィド結合を介して連結されている；
第１のｍｅｒ単位及び第２のｍｅｒ単位を含む第１のホモ二量体であって、ここで、前記の第１のｍｅｒ単位が配列番号１と少なくとも約７５%の同一性を有し、及びここで、前記の第２のｍｅｒ単位が配列番号１と少なくとも約７５%の同一性を有し、及びここで、前記の第１のｍｅｒ単位と前記の第２のｍｅｒ単位が、ジスルフィド結合を介して連結されている；
第１のｍｅｒ単位及び第２のｍｅｒ単位を含む第２のホモ二量体であって、ここで、前記の第１のｍｅｒ単位が配列番号２と少なくとも約７５%の同一性を有し、及びここで、前記の第２のｍｅｒ単位が配列番号２と少なくとも約７５%の同一性を有し、及びここで、前記の第１のｍｅｒ単位と前記の第２のｍｅｒ単位が、ジスルフィド結合を介して連結されている；
第１のｍｅｒ単位及び第２のｍｅｒ単位を含む第２のヘテロ二量体であって、ここで、前記の第１のｍｅｒ単位が配列番号５と少なくとも約７５%の同一性を有し、及びここで、前記の第２のｍｅｒ単位が配列番号６と少なくとも約７５%の同一性を有し、及びここで、前記の第１のｍｅｒ単位と前記の第２のｍｅｒ単位が、ジスルフィド結合を介して連結されている；
第１のｍｅｒ単位及び第２のｍｅｒ単位を含む第３のホモ二量体であって、ここで、前記の第１のｍｅｒ単位が配列番号５と少なくとも約７５%の同一性を有し、及びここで、前記の第２のｍｅｒ単位が配列番号５と少なくとも約７５%の同一性を有し、及びここで、前記の第１のｍｅｒ単位と前記の第２のｍｅｒ単位が、ジスルフィド結合を介して連結されている；
第１のｍｅｒ単位及び第２のｍｅｒ単位を含む第４のホモ二量体であって、ここで、前記の第１のｍｅｒ単位が配列番号６と少なくとも約７５%の同一性を有し、及びここで、前記の第２のｍｅｒ単位が配列番号６と少なくとも約７５%の同一性を有し、及びここで、前記の第１のｍｅｒ単位と前記の第２のｍｅｒ単位が、ジスルフィド結合を介して連結されている；
第１のｍｅｒ単位及び第２のｍｅｒ単位を含む第３のヘテロ二量体であって、ここで、前記の第１のｍｅｒ単位が配列番号１と少なくとも約７５%の同一性を有し、及びここで、前記の第２のｍｅｒ単位が配列番号５と少なくとも約７５%の同一性を有し、及びここで、前記の第１のｍｅｒ単位と前記の第２のｍｅｒ単位が、ジスルフィド結合を介して連結されている；
第１のｍｅｒ単位及び第２のｍｅｒ単位を含む第４のヘテロ二量体であって、ここで、前記の第１のｍｅｒ単位が配列番号１と少なくとも約７５%の同一性を有し、及びここで、前記の第２のｍｅｒ単位が配列番号６と少なくとも約７５%の同一性を有し、及びここで、前記の第１のｍｅｒ単位と前記の第２のｍｅｒ単位が、ジスルフィド結合を介して連結されている；
第１のｍｅｒ単位及び第２のｍｅｒ単位を含む第５のヘテロ二量体であって、ここで、前記の第１のｍｅｒ単位が配列番号２と少なくとも約７５%の同一性を有し、及びここで、前記の第２のｍｅｒ単位が配列番号５と少なくとも約７５%の同一性を有し、及びここで、前記の第１のｍｅｒ単位と前記の第２のｍｅｒ単位が、ジスルフィド結合を介して連結されている；
第１のｍｅｒ単位及び第２のｍｅｒ単位を含む第６のヘテロ二量体であって、ここで、前記の第１のｍｅｒ単位が配列番号２と少なくとも約７５%の同一性を有し、及びここで、前記の第２のｍｅｒ単位が配列番号６と少なくとも約７５%の同一性を有し、及びここで、前記の第１のｍｅｒ単位と前記の第２のｍｅｒ単位が、ジスルフィド結合を介して連結されている；
前記の第１のヘテロ二量体の二量体；
前記の第１のホモ二量体の二量体；
前記の第２のホモ二量体の二量体；
前記の第２のヘテロ二量体の二量体；
前記の第３のホモ二量体の二量体；
前記の第４のホモ二量体の二量体；
前記の第３のヘテロ二量体の二量体；
前記の第４のヘテロ二量体の二量体；
前記の第５のヘテロ二量体の二量体；及び
前記の第６のヘテロ二量体の二量体からなる群より選択される、方法。
【請求項２２】
患者においてＴＮＦアルファに関連する状態を処置する方法であって、以下：
前記の患者に、有効量のペプチド又はその医薬的に許容可能な塩を投与すること
を含み；
ここで、前記のペプチドは、以下：
配列番号２と少なくとも約７５%の同一性を有する単量体ペプチド；
第１のｍｅｒ単位及び第２のｍｅｒ単位を含む第１のヘテロ二量体であって、ここで、前記の第１のｍｅｒ単位が配列番号１と少なくとも約７５%の同一性を有し、及びここで、前記の第２のｍｅｒ単位が配列番号２と少なくとも約７５%の同一性を有し、及びここで、前記の第１のｍｅｒ単位と前記の第２のｍｅｒ単位が、ジスルフィド結合を介して連結されている；
第１のｍｅｒ単位及び第２のｍｅｒ単位を含む第１のホモ二量体であって、ここで、前記の第１のｍｅｒ単位が配列番号１と少なくとも約７５%の同一性を有し、及びここで、前記の第２のｍｅｒ単位が配列番号１と少なくとも約７５%の同一性を有し、及びここで、前記の第１のｍｅｒ単位と前記の第２のｍｅｒ単位が、ジスルフィド結合を介して連結されている；
第１のｍｅｒ単位及び第２のｍｅｒ単位を含む第２のホモ二量体であって、ここで、前記の第１のｍｅｒ単位が配列番号２と少なくとも約７５%の同一性を有し、及びここで、前記の第２のｍｅｒ単位が配列番号２と少なくとも約７５%の同一性を有し、及びここで、前記の第１のｍｅｒ単位と前記の第２のｍｅｒ単位が、ジスルフィド結合を介して連結されている；
第１のｍｅｒ単位及び第２のｍｅｒ単位を含む第２のヘテロ二量体であって、ここで、前記の第１のｍｅｒ単位が配列番号５と少なくとも約７５%の同一性を有し、及びここで、前記の第２のｍｅｒ単位が配列番号６と少なくとも約７５%の同一性を有し、及びここで、前記の第１のｍｅｒ単位と前記の第２のｍｅｒ単位が、ジスルフィド結合を介して連結されている；
第１のｍｅｒ単位及び第２のｍｅｒ単位を含む第３のホモ二量体であって、ここで、前記の第１のｍｅｒ単位が配列番号５と少なくとも約７５%の同一性を有し、及びここで、前記の第２のｍｅｒ単位が配列番号５と少なくとも約７５%の同一性を有し、及びここで、前記の第１のｍｅｒ単位と前記の第２のｍｅｒ単位が、ジスルフィド結合を介して連結されている；
第１のｍｅｒ単位及び第２のｍｅｒ単位を含む第４のホモ二量体であって、ここで、前記の第１のｍｅｒ単位が配列番号６と少なくとも約７５%の同一性を有し、及びここで、前記の第２のｍｅｒ単位が配列番号６と少なくとも約７５%の同一性を有し、及びここで、前記の第１のｍｅｒ単位と前記の第２のｍｅｒ単位が、ジスルフィド結合を介して連結されている；
第１のｍｅｒ単位及び第２のｍｅｒ単位を含む第３のヘテロ二量体であって、ここで、前記の第１のｍｅｒ単位が配列番号１と少なくとも約７５%の同一性を有し、及びここで、前記の第２のｍｅｒ単位が配列番号５と少なくとも約７５%の同一性を有し、及びここで、前記の第１のｍｅｒ単位と前記の第２のｍｅｒ単位が、ジスルフィド結合を介して連結されている；
第１のｍｅｒ単位及び第２のｍｅｒ単位を含む第４のヘテロ二量体であって、ここで、前記の第１のｍｅｒ単位が配列番号１と少なくとも約７５%の同一性を有し、及びここで、前記の第２のｍｅｒ単位が配列番号６と少なくとも約７５%の同一性を有し、及びここで、前記の第１のｍｅｒ単位と前記の第２のｍｅｒ単位が、ジスルフィド結合を介して連結されている；
第１のｍｅｒ単位及び第２のｍｅｒ単位を含む第５のヘテロ二量体であって、ここで、前記の第１のｍｅｒ単位が配列番号２と少なくとも約７５%の同一性を有し、及びここで、前記の第２のｍｅｒ単位が配列番号５と少なくとも約７５%の同一性を有し、及びここで、前記の第１のｍｅｒ単位と前記の第２のｍｅｒ単位が、ジスルフィド結合を介して連結されている；
第１のｍｅｒ単位及び第２のｍｅｒ単位を含む第６のヘテロ二量体であって、ここで、前記の第１のｍｅｒ単位が配列番号２と少なくとも約７５%の同一性を有し、及びここで、前記の第２のｍｅｒ単位が配列番号６と少なくとも約７５%の同一性を有し、及びここで、前記の第１のｍｅｒ単位と前記の第２のｍｅｒ単位が、ジスルフィド結合を介して連結されている；
前記の第１のヘテロ二量体の二量体；
前記の第１のホモ二量体の二量体；
前記の第２のホモ二量体の二量体；
前記の第２のヘテロ二量体の二量体；
前記の第３のホモ二量体の二量体；
前記の第４のホモ二量体の二量体；
前記の第３のヘテロ二量体の二量体；
前記の第４のヘテロ二量体の二量体；
前記の第５のヘテロ二量体の二量体；及び
前記の第６のヘテロ二量体の二量体からなる群より選択される、方法。
【請求項２３】
状態が、ＨＩＶ；肝炎；成人呼吸窮迫症候群；骨吸収疾患；慢性閉塞性肺疾患；慢性肺炎症疾患；皮膚炎；嚢胞性線維症；敗血性ショック；敗血症；エンドトキシンショック；血行動態ショック；敗血症症候群；虚血後再潅流傷害；髄膜炎；乾癬；線維性疾患；悪液質；移植片対宿主疾患（ＧＶＨＤ）；移植片拒絶；自己免疫疾病；リウマチ様脊椎炎；関節炎状態、例えば関節リウマチ、リウマチ様脊椎炎、及び骨関節炎など；骨粗鬆症；炎症性腸疾患；クローン病；潰瘍性結腸炎；多発性硬化症；全身性エリテマトーデス；ハンセン病におけるＥＮＬ；放射線障害；喘息；過酸素肺胞傷害、１型糖尿病、及びその組み合わせからなる群より選択される、請求項２２記載の方法。
【請求項２４】
患者においてＨＥＲ２  ｎｅｕに関連する状態を処置する方法であって、以下：
前記の患者に、有効量のペプチド又はその医薬的に許容可能な塩を投与すること
を含み；
ここで、前記のペプチドは、以下：
配列番号２と少なくとも約７５%の同一性を有する単量体ペプチド；
第１のｍｅｒ単位及び第２のｍｅｒ単位を含む第１のヘテロ二量体であって、ここで、前記の第１のｍｅｒ単位が配列番号１と少なくとも約７５%の同一性を有し、及びここで、前記の第２のｍｅｒ単位が配列番号２と少なくとも約７５%の同一性を有し、及びここで、前記の第１のｍｅｒ単位と前記の第２のｍｅｒ単位が、ジスルフィド結合を介して連結されている；
第１のｍｅｒ単位及び第２のｍｅｒ単位を含む第１のホモ二量体であって、ここで、前記の第１のｍｅｒ単位が配列番号１と少なくとも約７５%の同一性を有し、及びここで、前記の第２のｍｅｒ単位が配列番号１と少なくとも約７５%の同一性を有し、及びここで、前記の第１のｍｅｒ単位と前記の第２のｍｅｒ単位が、ジスルフィド結合を介して連結されている；
第１のｍｅｒ単位及び第２のｍｅｒ単位を含む第２のホモ二量体であって、ここで、前記の第１のｍｅｒ単位が配列番号２と少なくとも約７５%の同一性を有し、及びここで、前記の第２のｍｅｒ単位が配列番号２と少なくとも約７５%の同一性を有し、及びここで、前記の第１のｍｅｒ単位と前記の第２のｍｅｒ単位が、ジスルフィド結合を介して連結されている；
第１のｍｅｒ単位及び第２のｍｅｒ単位を含む第２のヘテロ二量体であって、ここで、前記の第１のｍｅｒ単位が配列番号５と少なくとも約７５%の同一性を有し、及びここで、前記の第２のｍｅｒ単位が配列番号６と少なくとも約７５%の同一性を有し、及びここで、前記の第１のｍｅｒ単位と前記の第２のｍｅｒ単位が、ジスルフィド結合を介して連結されている；
第１のｍｅｒ単位及び第２のｍｅｒ単位を含む第３のホモ二量体であって、ここで、前記の第１のｍｅｒ単位が配列番号５と少なくとも約７５%の同一性を有し、及びここで、前記の第２のｍｅｒ単位が配列番号５と少なくとも約７５%の同一性を有し、及びここで、前記の第１のｍｅｒ単位と前記の第２のｍｅｒ単位が、ジスルフィド結合を介して連結されている；
第１のｍｅｒ単位及び第２のｍｅｒ単位を含む第４のホモ二量体であって、ここで、前記の第１のｍｅｒ単位が配列番号６と少なくとも約７５%の同一性を有し、及びここで、前記の第２のｍｅｒ単位が配列番号６と少なくとも約７５%の同一性を有し、及びここで、前記の第１のｍｅｒ単位と前記の第２のｍｅｒ単位が、ジスルフィド結合を介して連結されている；
第１のｍｅｒ単位及び第２のｍｅｒ単位を含む第３のヘテロ二量体であって、ここで、前記の第１のｍｅｒ単位が配列番号１と少なくとも約７５%の同一性を有し、及びここで、前記の第２のｍｅｒ単位が配列番号５と少なくとも約７５%の同一性を有し、及びここで、前記の第１のｍｅｒ単位と前記の第２のｍｅｒ単位が、ジスルフィド結合を介して連結されている；
第１のｍｅｒ単位及び第２のｍｅｒ単位を含む第４のヘテロ二量体であって、ここで、前記の第１のｍｅｒ単位が配列番号１と少なくとも約７５%の同一性を有し、及びここで、前記の第２のｍｅｒ単位が配列番号６と少なくとも約７５%の同一性を有し、及びここで、前記の第１のｍｅｒ単位と前記の第２のｍｅｒ単位が、ジスルフィド結合を介して連結されている；
第１のｍｅｒ単位及び第２のｍｅｒ単位を含む第５のヘテロ二量体であって、ここで、前記の第１のｍｅｒ単位が配列番号２と少なくとも約７５%の同一性を有し、及びここで、前記の第２のｍｅｒ単位が配列番号５と少なくとも約７５%の同一性を有し、及びここで、前記の第１のｍｅｒ単位と前記の第２のｍｅｒ単位が、ジスルフィド結合を介して連結されている；
第１のｍｅｒ単位及び第２のｍｅｒ単位を含む第６のヘテロ二量体であって、ここで、前記の第１のｍｅｒ単位が配列番号２と少なくとも約７５%の同一性を有し、及びここで、前記の第２のｍｅｒ単位が配列番号６と少なくとも約７５%の同一性を有し、及びここで、前記の第１のｍｅｒ単位と前記の第２のｍｅｒ単位が、ジスルフィド結合を介して連結されている；
前記の第１のヘテロ二量体の二量体；
前記の第１のホモ二量体の二量体；
前記の第２のホモ二量体の二量体；
前記の第２のヘテロ二量体の二量体；
前記の第３のホモ二量体の二量体；
前記の第４のホモ二量体の二量体；
前記の第３のヘテロ二量体の二量体；
前記の第４のヘテロ二量体の二量体；
前記の第５のヘテロ二量体の二量体；及び
前記の第６のヘテロ二量体の二量体からなる群より選択される、方法。
【請求項２５】
状態が腫瘍増殖である、請求項２４記載の方法。
【請求項２６】
状態が乳癌である、請求項２４記載の方法。
【請求項２７】
患者においてプロテアーゼを阻害する方法であって、以下：
前記の患者に、有効量のペプチド又はその医薬的に許容可能な塩を投与すること
を含み；
ここで、前記のペプチドは、以下：
配列番号１と少なくとも約７５%の同一性を有する単量体ペプチド；配列番号２と少なくとも約７５%の同一性を有する単量体ペプチド；
第１のｍｅｒ単位及び第２のｍｅｒ単位を含む第１のヘテロ二量体であって、ここで、前記の第１のｍｅｒ単位が配列番号１と少なくとも約７５%の同一性を有し、及びここで、前記の第２のｍｅｒ単位が配列番号２と少なくとも約７５%の同一性を有し、及びここで、前記の第１のｍｅｒ単位と前記の第２のｍｅｒ単位が、ジスルフィド結合を介して連結されている；
第１のｍｅｒ単位及び第２のｍｅｒ単位を含む第１のホモ二量体であって、ここで、前記の第１のｍｅｒ単位が配列番号１と少なくとも約７５%の同一性を有し、及びここで、前記の第２のｍｅｒ単位が配列番号１と少なくとも約７５%の同一性を有し、及びここで、前記の第１のｍｅｒ単位と前記の第２のｍｅｒ単位が、ジスルフィド結合を介して連結されている；
第１のｍｅｒ単位及び第２のｍｅｒ単位を含む第２のホモ二量体であって、ここで、前記の第１のｍｅｒ単位が配列番号２と少なくとも約７５%の同一性を有し、及びここで、前記の第２のｍｅｒ単位が配列番号２と少なくとも約７５%の同一性を有し、及びここで、前記の第１のｍｅｒ単位と前記の第２のｍｅｒ単位が、ジスルフィド結合を介して連結されている；
第１のｍｅｒ単位及び第２のｍｅｒ単位を含む第２のヘテロ二量体であって、ここで、前記の第１のｍｅｒ単位が配列番号５と少なくとも約７５%の同一性を有し、及びここで、前記の第２のｍｅｒ単位が配列番号６と少なくとも約７５%の同一性を有し、及びここで、前記の第１のｍｅｒ単位と前記の第２のｍｅｒ単位が、ジスルフィド結合を介して連結されている；
第１のｍｅｒ単位及び第２のｍｅｒ単位を含む第３のホモ二量体であって、ここで、前記の第１のｍｅｒ単位が配列番号５と少なくとも約７５%の同一性を有し、及びここで、前記の第２のｍｅｒ単位が配列番号５と少なくとも約７５%の同一性を有し、及びここで、前記の第１のｍｅｒ単位と前記の第２のｍｅｒ単位が、ジスルフィド結合を介して連結されている；
第１のｍｅｒ単位及び第２のｍｅｒ単位を含む第４のホモ二量体であって、ここで、前記の第１のｍｅｒ単位が配列番号６と少なくとも約７５%の同一性を有し、及びここで、前記の第２のｍｅｒ単位が配列番号６と少なくとも約７５%の同一性を有し、及びここで、前記の第１のｍｅｒ単位と前記の第２のｍｅｒ単位が、ジスルフィド結合を介して連結されている；
第１のｍｅｒ単位及び第２のｍｅｒ単位を含む第３のヘテロ二量体であって、ここで、前記の第１のｍｅｒ単位が配列番号１と少なくとも約７５%の同一性を有し、及びここで、前記の第２のｍｅｒ単位が配列番号５と少なくとも約７５%の同一性を有し、及びここで、前記の第１のｍｅｒ単位と前記の第２のｍｅｒ単位が、ジスルフィド結合を介して連結されている；
第１のｍｅｒ単位及び第２のｍｅｒ単位を含む第４のヘテロ二量体であって、ここで、前記の第１のｍｅｒ単位が配列番号１と少なくとも約７５%の同一性を有し、及びここで、前記の第２のｍｅｒ単位が配列番号６と少なくとも約７５%の同一性を有し、及びここで、前記の第１のｍｅｒ単位と前記の第２のｍｅｒ単位が、ジスルフィド結合を介して連結されている；
第１のｍｅｒ単位及び第２のｍｅｒ単位を含む第５のヘテロ二量体であって、ここで、前記の第１のｍｅｒ単位が配列番号２と少なくとも約７５%の同一性を有し、及びここで、前記の第２のｍｅｒ単位が配列番号５と少なくとも約７５%の同一性を有し、及びここで、前記の第１のｍｅｒ単位と前記の第２のｍｅｒ単位が、ジスルフィド結合を介して連結されている；
第１のｍｅｒ単位及び第２のｍｅｒ単位を含む第６のヘテロ二量体であって、ここで、前記の第１のｍｅｒ単位が配列番号２と少なくとも約７５%の同一性を有し、及びここで、前記の第２のｍｅｒ単位が配列番号６と少なくとも約７５%の同一性を有し、及びここで、前記の第１のｍｅｒ単位と前記の第２のｍｅｒ単位が、ジスルフィド結合を介して連結されている；
前記の第１のヘテロ二量体の二量体；
前記の第１のホモ二量体の二量体；
前記の第２のホモ二量体の二量体；
前記の第２のヘテロ二量体の二量体；
前記の第３のホモ二量体の二量体；
前記の第４のホモ二量体の二量体；
前記の第３のヘテロ二量体の二量体；
前記の第４のヘテロ二量体の二量体；
前記の第５のヘテロ二量体の二量体；及び
前記の第６のヘテロ二量体の二量体からなる群より選択され；そして
ここで、前記のプロテアーゼは、インスリシン／インスリン分解酵素（ＩＤＥ）、ＡＤＡＭ−１７ペプチダーゼ、オムプチン、オーレオリシン、ファルシリシン、ペプシンＡ、ペプシンＢ、カテプシンＤ、カテプシンＥ、カテプシンＧ、カテプシンＨ、カテプシンＬ、アクロシリンドロペプシン、酸性ペプチダーゼ（クラドスポリウム）、ロドトルラペプシン、グリホリシン、フィサロリシン、ペプチダーゼＫ、スブチリシンａｐｒＭ、スブチリシンＢＰＮ’、高アルカリプロテアーゼ、ＭペプチダーゼＫＳＭ−Ｋ１６種、スブチリシンカールスバーグ、メプリンペプチダーゼ、ストレプトグリシンＢ、キモトリプシンＣ、ペプチダーゼＣｉ、カメリシス、デウテロリシン、アミノペプチダーゼＡｐ１、エンドセリン変換酵素１、ネプリリシン、ロイコリシン、プレセニリン、サーモプシン、レトロペプシン（ヒトＴ細胞白血病ウイルス）、ウシ免疫不全ウイルスレトロペプシン、カンジダペプシンＳＡＰ２、カンジダペプシンＳＡＰ３、カンジダペプシンＳＡＰ６、カンジダペプシンＳＡＰ１、又はリゾプスペプシンである、ただし、前記のプロテアーゼは、前記のペプチドが配列番号１と少なくとも約７５%の同一性を有する単量体ペプチドである場合、ＩＤＥ又はＡＤＡＭ−１７ペプチダーゼではない、方法。
【請求項２８】
プロテアーゼが、インスリシン／インスリン分解酵素（ＩＤＥ）、ＡＤＡＭ−１７ペプチダーゼ、オンプチン、オレオリシン、又はファルシリシンである、請求項２７記載の方法。
【請求項２９】
必要とする患者においてインスリン抵抗性を処置する方法であって、以下の工程：
前記の患者に、有効量のペプチド又はその医薬的に許容可能な塩を投与すること
を含み；
ここで、前記のペプチドは、以下：
配列番号２と少なくとも約７５%の同一性を有する単量体ペプチド；
第１のｍｅｒ単位及び第２のｍｅｒ単位を含む第１のヘテロ二量体であって、ここで、前記の第１のｍｅｒ単位が配列番号１と少なくとも約７５%の同一性を有し、及びここで、前記の第２のｍｅｒ単位が配列番号２と少なくとも約７５%の同一性を有し、及びここで、前記の第１のｍｅｒ単位と前記の第２のｍｅｒ単位が、ジスルフィド結合を介して連結されている；
第１のｍｅｒ単位及び第２のｍｅｒ単位を含む第１のホモ二量体であって、ここで、前記の第１のｍｅｒ単位が配列番号１と少なくとも約７５%の同一性を有し、及びここで、前記の第２のｍｅｒ単位が配列番号１と少なくとも約７５%の同一性を有し、及びここで、前記の第１のｍｅｒ単位と前記の第２のｍｅｒ単位が、ジスルフィド結合を介して連結されている；
第１のｍｅｒ単位及び第２のｍｅｒ単位を含む第２のホモ二量体であって、ここで、前記の第１のｍｅｒ単位が配列番号２と少なくとも約７５%の同一性を有し、及びここで、前記の第２のｍｅｒ単位が配列番号２と少なくとも約７５%の同一性を有し、及びここで、前記の第１のｍｅｒ単位と前記の第２のｍｅｒ単位が、ジスルフィド結合を介して連結されている；
第１のｍｅｒ単位及び第２のｍｅｒ単位を含む第２のヘテロ二量体であって、ここで、前記の第１のｍｅｒ単位が配列番号５と少なくとも約７５%の同一性を有し、及びここで、前記の第２のｍｅｒ単位が配列番号６と少なくとも約７５%の同一性を有し、及びここで、前記の第１のｍｅｒ単位と前記の第２のｍｅｒ単位が、ジスルフィド結合を介して連結されている；
第１のｍｅｒ単位及び第２のｍｅｒ単位を含む第３のホモ二量体であって、ここで、前記の第１のｍｅｒ単位が配列番号５と少なくとも約７５%の同一性を有し、及びここで、前記の第２のｍｅｒ単位が配列番号５と少なくとも約７５%の同一性を有し、及びここで、前記の第１のｍｅｒ単位と前記の第２のｍｅｒ単位が、ジスルフィド結合を介して連結されている；
第１のｍｅｒ単位及び第２のｍｅｒ単位を含む第４のホモ二量体であって、ここで、前記の第１のｍｅｒ単位が配列番号６と少なくとも約７５%の同一性を有し、及びここで、前記の第２のｍｅｒ単位が配列番号６と少なくとも約７５%の同一性を有し、及びここで、前記の第１のｍｅｒ単位と前記の第２のｍｅｒ単位が、ジスルフィド結合を介して連結されている；
第１のｍｅｒ単位及び第２のｍｅｒ単位を含む第３のヘテロ二量体であって、ここで、前記の第１のｍｅｒ単位が配列番号１と少なくとも約７５%の同一性を有し、及びここで、前記の第２のｍｅｒ単位が配列番号５と少なくとも約７５%の同一性を有し、及びここで、前記の第１のｍｅｒ単位と前記の第２のｍｅｒ単位が、ジスルフィド結合を介して連結されている；
第１のｍｅｒ単位及び第２のｍｅｒ単位を含む第４のヘテロ二量体であって、ここで、前記の第１のｍｅｒ単位が配列番号１と少なくとも約７５%の同一性を有し、及びここで、前記の第２のｍｅｒ単位が配列番号６と少なくとも約７５%の同一性を有し、及びここで、前記の第１のｍｅｒ単位と前記の第２のｍｅｒ単位が、ジスルフィド結合を介して連結されている；
第１のｍｅｒ単位及び第２のｍｅｒ単位を含む第５のヘテロ二量体であって、ここで、前記の第１のｍｅｒ単位が配列番号２と少なくとも約７５%の同一性を有し、及びここで、前記の第２のｍｅｒ単位が配列番号５と少なくとも約７５%の同一性を有し、及びここで、前記の第１のｍｅｒ単位と前記の第２のｍｅｒ単位が、ジスルフィド結合を介して連結されている；
第１のｍｅｒ単位及び第２のｍｅｒ単位を含む第６のヘテロ二量体であって、ここで、前記の第１のｍｅｒ単位が配列番号２と少なくとも約７５%の同一性を有し、及びここで、前記の第２のｍｅｒ単位が配列番号６と少なくとも約７５%の同一性を有し、及びここで、前記の第１のｍｅｒ単位と前記の第２のｍｅｒ単位が、ジスルフィド結合を介して連結されている；
前記の第１のヘテロ二量体の二量体；
前記の第１のホモ二量体の二量体；
前記の第２のホモ二量体の二量体；
前記の第２のヘテロ二量体の二量体；
前記の第３のホモ二量体の二量体；
前記の第４のホモ二量体の二量体；
前記の第３のヘテロ二量体の二量体；
前記の第４のヘテロ二量体の二量体；
前記の第５のヘテロ二量体の二量体；及び
前記の第６のヘテロ二量体の二量体からなる群より選択される、方法。
【請求項３０】
患者においてインスリン分泌を起こす方法であって、以下の工程：
前記の患者に、有効量のペプチド又はその医薬的に許容可能な塩を投与すること
を含み；
ここで、前記のペプチドは、以下：
配列番号２と少なくとも約７５%の同一性を有する単量体ペプチド；
第１のｍｅｒ単位及び第２のｍｅｒ単位を含む第１のヘテロ二量体であって、ここで、前記の第１のｍｅｒ単位が配列番号１と少なくとも約７５%の同一性を有し、及びここで、前記の第２のｍｅｒ単位が配列番号２と少なくとも約７５%の同一性を有し、及びここで、前記の第１のｍｅｒ単位と前記の第２のｍｅｒ単位が、ジスルフィド結合を介して連結されている；
第１のｍｅｒ単位及び第２のｍｅｒ単位を含む第１のホモ二量体であって、ここで、前記の第１のｍｅｒ単位が配列番号１と少なくとも約７５%の同一性を有し、及びここで、前記の第２のｍｅｒ単位が配列番号１と少なくとも約７５%の同一性を有し、及びここで、前記の第１のｍｅｒ単位と前記の第２のｍｅｒ単位が、ジスルフィド結合を介して連結されている；
第１のｍｅｒ単位及び第２のｍｅｒ単位を含む第２のホモ二量体であって、ここで、前記の第１のｍｅｒ単位が配列番号２と少なくとも約７５%の同一性を有し、及びここで、前記の第２のｍｅｒ単位が配列番号２と少なくとも約７５%の同一性を有し、及びここで、前記の第１のｍｅｒ単位と前記の第２のｍｅｒ単位が、ジスルフィド結合を介して連結されている；
第１のｍｅｒ単位及び第２のｍｅｒ単位を含む第２のヘテロ二量体であって、ここで、前記の第１のｍｅｒ単位が配列番号５と少なくとも約７５%の同一性を有し、及びここで、前記の第２のｍｅｒ単位が配列番号６と少なくとも約７５%の同一性を有し、及びここで、前記の第１のｍｅｒ単位と前記の第２のｍｅｒ単位が、ジスルフィド結合を介して連結されている；
第１のｍｅｒ単位及び第２のｍｅｒ単位を含む第３のホモ二量体であって、ここで、前記の第１のｍｅｒ単位が配列番号５と少なくとも約７５%の同一性を有し、及びここで、前記の第２のｍｅｒ単位が配列番号５と少なくとも約７５%の同一性を有し、及びここで、前記の第１のｍｅｒ単位と前記の第２のｍｅｒ単位が、ジスルフィド結合を介して連結されている；
第１のｍｅｒ単位及び第２のｍｅｒ単位を含む第４のホモ二量体であって、ここで、前記の第１のｍｅｒ単位が配列番号６と少なくとも約７５%の同一性を有し、及びここで、前記の第２のｍｅｒ単位が配列番号６と少なくとも約７５%の同一性を有し、及びここで、前記の第１のｍｅｒ単位と前記の第２のｍｅｒ単位が、ジスルフィド結合を介して連結されている；
第１のｍｅｒ単位及び第２のｍｅｒ単位を含む第３のヘテロ二量体であって、ここで、前記の第１のｍｅｒ単位が配列番号１と少なくとも約７５%の同一性を有し、及びここで、前記の第２のｍｅｒ単位が配列番号５と少なくとも約７５%の同一性を有し、及びここで、前記の第１のｍｅｒ単位と前記の第２のｍｅｒ単位が、ジスルフィド結合を介して連結されている；
第１のｍｅｒ単位及び第２のｍｅｒ単位を含む第４のヘテロ二量体であって、ここで、前記の第１のｍｅｒ単位が配列番号１と少なくとも約７５%の同一性を有し、及びここで、前記の第２のｍｅｒ単位が配列番号６と少なくとも約７５%の同一性を有し、及びここで、前記の第１のｍｅｒ単位と前記の第２のｍｅｒ単位が、ジスルフィド結合を介して連結されている；
第１のｍｅｒ単位及び第２のｍｅｒ単位を含む第５のヘテロ二量体であって、ここで、前記の第１のｍｅｒ単位が配列番号２と少なくとも約７５%の同一性を有し、及びここで、前記の第２のｍｅｒ単位が配列番号５と少なくとも約７５%の同一性を有し、及びここで、前記の第１のｍｅｒ単位と前記の第２のｍｅｒ単位が、ジスルフィド結合を介して連結されている；
第１のｍｅｒ単位及び第２のｍｅｒ単位を含む第６のヘテロ二量体であって、ここで、前記の第１のｍｅｒ単位が配列番号２と少なくとも約７５%の同一性を有し、及びここで、前記の第２のｍｅｒ単位が配列番号６と少なくとも約７５%の同一性を有し、及びここで、前記の第１のｍｅｒ単位と前記の第２のｍｅｒ単位が、ジスルフィド結合を介して連結されている；
前記の第１のヘテロ二量体の二量体；
前記の第１のホモ二量体の二量体；
前記の第２のホモ二量体の二量体；
前記の第２のヘテロ二量体の二量体；
前記の第３のホモ二量体の二量体；
前記の第４のホモ二量体の二量体；
前記の第３のヘテロ二量体の二量体；
前記の第４のヘテロ二量体の二量体；
前記の第５のヘテロ二量体の二量体；及び
前記の第６のヘテロ二量体の二量体からなる群より選択される、方法。
【請求項３１】
患者が糖尿病に苦しむ、請求項３０記載の方法。
【請求項３２】
患者が異常な脂肪細胞活性に苦しむ、請求項３０記載の方法。
【請求項３３】
患者がインスリン抵抗性に苦しむ、請求項３０記載の方法。
【請求項３４】
患者がメタボリックシンドロームに苦しむ、請求項３０記載の方法。
【請求項３５】
患者においてインスリンレベルを増加させる方法であって、ここで該患者が糖尿病に苦しまず、以下の工程：
前記の患者に、有効量のペプチド又はその医薬的に許容可能な塩を投与すること
を含み；
ここで、前記のペプチドは、以下：
配列番号２と少なくとも約７５%の同一性を有する単量体ペプチド；
第１のｍｅｒ単位及び第２のｍｅｒ単位を含む第１のヘテロ二量体であって、ここで、前記の第１のｍｅｒ単位が配列番号１と少なくとも約７５%の同一性を有し、及びここで、前記の第２のｍｅｒ単位が配列番号２と少なくとも約７５%の同一性を有し、及びここで、前記の第１のｍｅｒ単位と前記の第２のｍｅｒ単位が、ジスルフィド結合を介して連結されている；
第１のｍｅｒ単位及び第２のｍｅｒ単位を含む第１のホモ二量体であって、ここで、前記の第１のｍｅｒ単位が配列番号１と少なくとも約７５%の同一性を有し、及びここで、前記の第２のｍｅｒ単位が配列番号１と少なくとも約７５%の同一性を有し、及びここで、前記の第１のｍｅｒ単位と前記の第２のｍｅｒ単位が、ジスルフィド結合を介して連結されている；
第１のｍｅｒ単位及び第２のｍｅｒ単位を含む第２のホモ二量体であって、ここで、前記の第１のｍｅｒ単位が配列番号２と少なくとも約７５%の同一性を有し、及びここで、前記の第２のｍｅｒ単位が配列番号２と少なくとも約７５%の同一性を有し、及びここで、前記の第１のｍｅｒ単位と前記の第２のｍｅｒ単位が、ジスルフィド結合を介して連結されている；
第１のｍｅｒ単位及び第２のｍｅｒ単位を含む第２のヘテロ二量体であって、ここで、前記の第１のｍｅｒ単位が配列番号５と少なくとも約７５%の同一性を有し、及びここで、前記の第２のｍｅｒ単位が配列番号６と少なくとも約７５%の同一性を有し、及びここで、前記の第１のｍｅｒ単位と前記の第２のｍｅｒ単位が、ジスルフィド結合を介して連結されている；
第１のｍｅｒ単位及び第２のｍｅｒ単位を含む第３のホモ二量体であって、ここで、前記の第１のｍｅｒ単位が配列番号５と少なくとも約７５%の同一性を有し、及びここで、前記の第２のｍｅｒ単位が配列番号５と少なくとも約７５%の同一性を有し、及びここで、前記の第１のｍｅｒ単位と前記の第２のｍｅｒ単位が、ジスルフィド結合を介して連結されている；
第１のｍｅｒ単位及び第２のｍｅｒ単位を含む第４のホモ二量体であって、ここで、前記の第１のｍｅｒ単位が配列番号６と少なくとも約７５%の同一性を有し、及びここで、前記の第２のｍｅｒ単位が配列番号６と少なくとも約７５%の同一性を有し、及びここで、前記の第１のｍｅｒ単位と前記の第２のｍｅｒ単位が、ジスルフィド結合を介して連結されている；
第１のｍｅｒ単位及び第２のｍｅｒ単位を含む第３のヘテロ二量体であって、ここで、前記の第１のｍｅｒ単位が配列番号１と少なくとも約７５%の同一性を有し、及びここで、前記の第２のｍｅｒ単位が配列番号５と少なくとも約７５%の同一性を有し、及びここで、前記の第１のｍｅｒ単位と前記の第２のｍｅｒ単位が、ジスルフィド結合を介して連結されている；
第１のｍｅｒ単位及び第２のｍｅｒ単位を含む第４のヘテロ二量体であって、ここで、前記の第１のｍｅｒ単位が配列番号１と少なくとも約７５%の同一性を有し、及びここで、前記の第２のｍｅｒ単位が配列番号６と少なくとも約７５%の同一性を有し、及びここで、前記の第１のｍｅｒ単位と前記の第２のｍｅｒ単位が、ジスルフィド結合を介して連結されている；
第１のｍｅｒ単位及び第２のｍｅｒ単位を含む第５のヘテロ二量体であって、ここで、前記の第１のｍｅｒ単位が配列番号２と少なくとも約７５%の同一性を有し、及びここで、前記の第２のｍｅｒ単位が配列番号５と少なくとも約７５%の同一性を有し、及びここで、前記の第１のｍｅｒ単位と前記の第２のｍｅｒ単位が、ジスルフィド結合を介して連結されている；
第１のｍｅｒ単位及び第２のｍｅｒ単位を含む第６のヘテロ二量体であって、ここで、前記の第１のｍｅｒ単位が配列番号２と少なくとも約７５%の同一性を有し、及びここで、前記の第２のｍｅｒ単位が配列番号６と少なくとも約７５%の同一性を有し、及びここで、前記の第１のｍｅｒ単位と前記の第２のｍｅｒ単位が、ジスルフィド結合を介して連結されている；
前記の第１のヘテロ二量体の二量体；
前記の第１のホモ二量体の二量体；
前記の第２のホモ二量体の二量体；
前記の第２のヘテロ二量体の二量体；
前記の第３のホモ二量体の二量体；
前記の第４のホモ二量体の二量体；
前記の第３のヘテロ二量体の二量体；
前記の第４のヘテロ二量体の二量体；
前記の第５のヘテロ二量体の二量体；及び
前記の第６のヘテロ二量体の二量体からなる群より選択される、方法。
【請求項３６】
以下：
ペプチド又はその医薬的に許容可能な塩；
ここで、前記のペプチドは、以下：
配列番号２と少なくとも約７５%の同一性を有する単量体ペプチド；
第１のｍｅｒ単位及び第２のｍｅｒ単位を含む第１のヘテロ二量体であって、ここで、前記の第１のｍｅｒ単位が配列番号１と少なくとも約７５%の同一性を有し、及びここで、前記の第２のｍｅｒ単位が配列番号２と少なくとも約７５%の同一性を有し、及びここで、前記の第１のｍｅｒ単位と前記の第２のｍｅｒ単位が、ジスルフィド結合を介して連結されている；
第１のｍｅｒ単位及び第２のｍｅｒ単位を含む第１のホモ二量体であって、ここで、前記の第１のｍｅｒ単位が配列番号１と少なくとも約７５%の同一性を有し、及びここで、前記の第２のｍｅｒ単位が配列番号１と少なくとも約７５%の同一性を有し、及びここで、前記の第１のｍｅｒ単位と前記の第２のｍｅｒ単位が、ジスルフィド結合を介して連結されている；
第１のｍｅｒ単位及び第２のｍｅｒ単位を含む第２のホモ二量体であって、ここで、前記の第１のｍｅｒ単位が配列番号２と少なくとも約７５%の同一性を有し、及びここで、前記の第２のｍｅｒ単位が配列番号２と少なくとも約７５%の同一性を有し、及びここで、前記の第１のｍｅｒ単位と前記の第２のｍｅｒ単位が、ジスルフィド結合を介して連結されている；
第１のｍｅｒ単位及び第２のｍｅｒ単位を含む第２のヘテロ二量体であって、ここで、前記の第１のｍｅｒ単位が配列番号５と少なくとも約７５%の同一性を有し、及びここで、前記の第２のｍｅｒ単位が配列番号６と少なくとも約７５%の同一性を有し、及びここで、前記の第１のｍｅｒ単位と前記の第２のｍｅｒ単位が、ジスルフィド結合を介して連結されている；
第１のｍｅｒ単位及び第２のｍｅｒ単位を含む第３のホモ二量体であって、ここで、前記の第１のｍｅｒ単位が配列番号５と少なくとも約７５%の同一性を有し、及びここで、前記の第２のｍｅｒ単位が配列番号５と少なくとも約７５%の同一性を有し、及びここで、前記の第１のｍｅｒ単位と前記の第２のｍｅｒ単位が、ジスルフィド結合を介して連結されている；
第１のｍｅｒ単位及び第２のｍｅｒ単位を含む第４のホモ二量体であって、ここで、前記の第１のｍｅｒ単位が配列番号６と少なくとも約７５%の同一性を有し、及びここで、前記の第２のｍｅｒ単位が配列番号６と少なくとも約７５%の同一性を有し、及びここで、前記の第１のｍｅｒ単位と前記の第２のｍｅｒ単位が、ジスルフィド結合を介して連結されている；
第１のｍｅｒ単位及び第２のｍｅｒ単位を含む第３のヘテロ二量体であって、ここで、前記の第１のｍｅｒ単位が配列番号１と少なくとも約７５%の同一性を有し、及びここで、前記の第２のｍｅｒ単位が配列番号５と少なくとも約７５%の同一性を有し、及びここで、前記の第１のｍｅｒ単位と前記の第２のｍｅｒ単位が、ジスルフィド結合を介して連結されている；
第１のｍｅｒ単位及び第２のｍｅｒ単位を含む第４のヘテロ二量体であって、ここで、前記の第１のｍｅｒ単位が配列番号１と少なくとも約７５%の同一性を有し、及びここで、前記の第２のｍｅｒ単位が配列番号６と少なくとも約７５%の同一性を有し、及びここで、前記の第１のｍｅｒ単位と前記の第２のｍｅｒ単位が、ジスルフィド結合を介して連結されている；
第１のｍｅｒ単位及び第２のｍｅｒ単位を含む第５のヘテロ二量体であって、ここで、前記の第１のｍｅｒ単位が配列番号２と少なくとも約７５%の同一性を有し、及びここで、前記の第２のｍｅｒ単位が配列番号５と少なくとも約７５%の同一性を有し、及びここで、前記の第１のｍｅｒ単位と前記の第２のｍｅｒ単位が、ジスルフィド結合を介して連結されている；
第１のｍｅｒ単位及び第２のｍｅｒ単位を含む第６のヘテロ二量体であって、ここで、前記の第１のｍｅｒ単位が配列番号２と少なくとも約７５%の同一性を有し、及びここで、前記の第２のｍｅｒ単位が配列番号６と少なくとも約７５%の同一性を有し、及びここで、前記の第１のｍｅｒ単位と前記の第２のｍｅｒ単位が、ジスルフィド結合を介して連結されている；
前記の第１のヘテロ二量体の二量体；
前記の第１のホモ二量体の二量体；
前記の第２のホモ二量体の二量体；
前記の第２のヘテロ二量体の二量体；
前記の第３のホモ二量体の二量体；
前記の第４のホモ二量体の二量体；
前記の第３のヘテロ二量体の二量体；
前記の第４のヘテロ二量体の二量体；
前記の第５のヘテロ二量体の二量体；及び
前記の第６のヘテロ二量体の二量体からなる群より選択される；及び
少なくとも１つの医薬的に許容可能な担体
を含む組成物。
【請求項３７】
組成物が凍結乾燥されている、請求項３６記載の組成物。
【請求項３８】
精製されたペプチド又はその医薬的に許容可能な塩；
ここで、前記のペプチドは、以下：
配列番号２と少なくとも約７５%の同一性を有する単量体ペプチド；
第１のｍｅｒ単位及び第２のｍｅｒ単位を含む第１のヘテロ二量体であって、ここで、前記の第１のｍｅｒ単位が配列番号１と少なくとも約７５%の同一性を有し、及びここで、前記の第２のｍｅｒ単位が配列番号２と少なくとも約７５%の同一性を有し、及びここで、前記の第１のｍｅｒ単位と前記の第２のｍｅｒ単位が、ジスルフィド結合を介して連結されている；
第１のｍｅｒ単位及び第２のｍｅｒ単位を含む第１のホモ二量体であって、ここで、前記の第１のｍｅｒ単位が配列番号１と少なくとも約７５%の同一性を有し、及びここで、前記の第２のｍｅｒ単位が配列番号１と少なくとも約７５%の同一性を有し、及びここで、前記の第１のｍｅｒ単位と前記の第２のｍｅｒ単位が、ジスルフィド結合を介して連結されている；
第１のｍｅｒ単位及び第２のｍｅｒ単位を含む第２のホモ二量体であって、ここで、前記の第１のｍｅｒ単位が配列番号２と少なくとも約７５%の同一性を有し、及びここで、前記の第２のｍｅｒ単位が配列番号２と少なくとも約７５%の同一性を有し、及びここで、前記の第１のｍｅｒ単位と前記の第２のｍｅｒ単位が、ジスルフィド結合を介して連結されている；
第１のｍｅｒ単位及び第２のｍｅｒ単位を含む第２のヘテロ二量体であって、ここで、前記の第１のｍｅｒ単位が配列番号５と少なくとも約７５%の同一性を有し、及びここで、前記の第２のｍｅｒ単位が配列番号６と少なくとも約７５%の同一性を有し、及びここで、前記の第１のｍｅｒ単位と前記の第２のｍｅｒ単位が、ジスルフィド結合を介して連結されている；
第１のｍｅｒ単位及び第２のｍｅｒ単位を含む第３のホモ二量体であって、ここで、前記の第１のｍｅｒ単位が配列番号５と少なくとも約７５%の同一性を有し、及びここで、前記の第２のｍｅｒ単位が配列番号５と少なくとも約７５%の同一性を有し、及びここで、前記の第１のｍｅｒ単位と前記の第２のｍｅｒ単位が、ジスルフィド結合を介して連結されている；
第１のｍｅｒ単位及び第２のｍｅｒ単位を含む第４のホモ二量体であって、ここで、前記の第１のｍｅｒ単位が配列番号６と少なくとも約７５%の同一性を有し、及びここで、前記の第２のｍｅｒ単位が配列番号６と少なくとも約７５%の同一性を有し、及びここで、前記の第１のｍｅｒ単位と前記の第２のｍｅｒ単位が、ジスルフィド結合を介して連結されている；
第１のｍｅｒ単位及び第２のｍｅｒ単位を含む第３のヘテロ二量体であって、ここで、前記の第１のｍｅｒ単位が配列番号１と少なくとも約７５%の同一性を有し、及びここで、前記の第２のｍｅｒ単位が配列番号５と少なくとも約７５%の同一性を有し、及びここで、前記の第１のｍｅｒ単位と前記の第２のｍｅｒ単位が、ジスルフィド結合を介して連結されている；
第１のｍｅｒ単位及び第２のｍｅｒ単位を含む第４のヘテロ二量体であって、ここで、前記の第１のｍｅｒ単位が配列番号１と少なくとも約７５%の同一性を有し、及びここで、前記の第２のｍｅｒ単位が配列番号６と少なくとも約７５%の同一性を有し、及びここで、前記の第１のｍｅｒ単位と前記の第２のｍｅｒ単位が、ジスルフィド結合を介して連結されている；
第１のｍｅｒ単位及び第２のｍｅｒ単位を含む第５のヘテロ二量体であって、ここで、前記の第１のｍｅｒ単位が配列番号２と少なくとも約７５%の同一性を有し、及びここで、前記の第２のｍｅｒ単位が配列番号５と少なくとも約７５%の同一性を有し、及びここで、前記の第１のｍｅｒ単位と前記の第２のｍｅｒ単位が、ジスルフィド結合を介して連結されている；
第１のｍｅｒ単位及び第２のｍｅｒ単位を含む第６のヘテロ二量体であって、ここで、前記の第１のｍｅｒ単位が配列番号２と少なくとも約７５%の同一性を有し、及びここで、前記の第２のｍｅｒ単位が配列番号６と少なくとも約７５%の同一性を有し、及びここで、前記の第１のｍｅｒ単位と前記の第２のｍｅｒ単位が、ジスルフィド結合を介して連結されている；
前記の第１のヘテロ二量体の二量体；
前記の第１のホモ二量体の二量体；
前記の第２のホモ二量体の二量体；
前記の第２のヘテロ二量体の二量体；
前記の第３のホモ二量体の二量体；
前記の第４のホモ二量体の二量体；
前記の第３のヘテロ二量体の二量体；
前記の第４のヘテロ二量体の二量体；
前記の第５のヘテロ二量体の二量体；及び
前記の第６のヘテロ二量体の二量体からなる群より選択される；及び
場合により、少なくとも１つの医薬的に許容可能な担体
を含む組成物。
【請求項３９】
組成物が凍結乾燥される、請求項３８記載の組成物。
【請求項４０】
請求項３６又は請求項３８記載の組成物；及び
ペプチドのための少なくとも１つの溶媒
を含む、注射可能な投与形態。
【請求項４１】
溶媒が等張の生理食塩水である、請求項４０記載の注射可能な投与形態。
【請求項４２】
請求項３６又は請求項３８記載の組成物；及び
吸入を介したペプチドの投与のための少なくとも１つの医薬的に許容可能な担体
を含む、吸入可能な投与形態。
【請求項４３】
注射可能な投与形態を患者に投与するための指示；
請求項３６又は請求項３８記載の組成物を含む容器；及び
請求項３６又は請求項３８記載の組成物のための医薬的に許容可能な溶媒を含む容器
を含むキット。
【請求項４４】
吸入可能な投与形態を患者に投与するための指示；
請求項３６又は請求項３８記載の組成物を含む容器；及び
請求項３６又は請求項３８記載の組成物のための医薬的に許容可能な担体を含む容器
を含むキット。